(57)【特許請求の範囲】
【請求項１】
入力画像データに対して当該入力画像データの広範囲判定により像域分離を行う第１の判定手段と、
前記第１の判定手段により判定された像域分離結果に基づいて前記入力画像データに対して画質補正を行う第１の画質補正手段と、
前記第１の画質補正手段による画質補正が行われる前の入力画像データに対して局所エリア判定を行って画像特性を判定する第２の判定手段と、
前記第１の画質補正手段によって補正された画像データに対し、前記第２の判定手段により判定された画像特性に基づいて画質補正を行う第２の画質補正手段と
を有することを特徴とする画像処理装置。
【請求項２】
前記第１の判定手段は、
イメージ領域と文字領域を分離判定し、
前記第２の判定手段は、
エッジ判定を行うこと
を特徴とする請求項１に記載の画像処理装置。
【請求項３】
前記第１の画質補正手段は、前記入力画像データに対してデジタルフィルタ処理を行うことを特徴とする請求項１又は２に記載の画像処理装置。
【請求項４】
前記第２の画質補正手段は、前記第１の画質補正手段による画質補正が行われた画像データに対して、リニアハイガンマ処理、トーンコントロール処理、スクリーン選択処理、デジタルフィルタ処理のうち少なくともひとつの処理を行うことを特徴とする請求項１乃至３に記載の画像処理装置。
【請求項５】
前記第２の判定手段は、
エッジ判定を行う手段であり、
前記第２の画質補正手段は、
前記第２の判定手段がエッジ判定を行うことによってエッジを検出したときはハイガンマ処理を行う一方で、前記第２の判定手段がエッジ判定を行うことによってエッジを検出しなかったときはリニア処理を行うことを特徴とする請求項４に記載の画像処理装置。
【請求項６】
入力画像データに対して当該入力画像データの広範囲判定により像域分離を行う第１の判定工程と、
前記第１の判定工程にて判定された像域分離結果に基づいて前記入力画像データに対して画質補正を行う第１の画質補正工程と、
前記第１の画質補正工程による画質補正が行われる前の入力画像データに対して局所エリア判定を行って画像特性を判定する第２の判定工程と、
前記第１の画質補正工程によって補正された画像データに対し、前記第２の判定工程において判定された画像特性に基づいて画質補正を行う第２の画質補正工程と
を有することを特徴とする画像処理方法。  
【請求項７】
前記第１の判定工程は、
イメージ領域と文字領域を分離判定する工程であり、
前記第２の判定工程は
エッジ判定を行う工程であること
を特徴とする請求項６に記載の画像処理方法。  
【請求項８】
前記第１の画質補正工程は、前記入力画像データに対してデジタルフィルタ処理を行う工程であることを特徴とする請求項６又は７に記載の画像処理方法。
【請求項９】
前記第２の画質補正工程は、前記第１の画質補正工程における画質補正が行われた画像データに対して、リニアハイガンマ処理、トーンコントロール処理、スクリーン選択処理、デジタルフィルタ処理のうち少なくともひとつの処理を行う工程であることを特徴とする請求項６乃至８に記載の画像処理方法。
【請求項１０】
前記第２の判定工程は、
エッジ判定を行う工程であり、
前記第２の画質補正工程は、
前記第２の判定工程のエッジ判定を行うことによってエッジが検出されたときはハイガンマ処理を行う一方で、前記第２の判定工程のエッジ判定を行うことによってエッジが検出されなかったときはリニア処理を行う工程であることを特徴とする請求項９に記載の画像処理方法。
【発明の詳細な説明】
【０００１】
【発明の属する技術分野】
本発明は、入力画像からテキスト領域とイメージ領域を分離する領域分離機能を有する画像処理装置に関する。
【０００２】
【従来の技術】
カラー／モノクロの原稿を読み取ってカラー／モノクロで出力するデジタルコピー機においては、領域分離機能によって入力画像内のテキスト領域とイメージ領域を識別し、各々に対する処理や演算パラメータなどを切り換え、これにより、出力画像の最適化を図っている。
【０００３】
【発明が解決しようとする課題】
しかしながら、テキスト／イメージ分離方法は、入力画像の比較的広い領域（例えば、３３×３３画素範囲）を設定して判定を行うため、特に、低ポイントの細い多画文字については文字部と判断されにくく、しばしばイメージ（絵柄部）と誤判定されてしまい、出力画像の最適化に悪影響を与えるという問題が生じていた。
【０００４】
本願は、上述した事情に鑑みてなされたもので、イメージ部分と文字部分について各々に適した処理を行うことができる画像処理装置を提供することを目的としている。
【０００５】
【課題を解決するための手段】
上記課題を解決するため、請求項１記載の画像処理装置においては、入力画像データに対して当該入力画像データの広範囲判定により像域分離を行う第１の判定手段と、前記第１の判定手段により判定された像域分離結果に基づいて前記入力画像データに対して画質補正を行う第１の画質補正手段と、前記第１の画質補正手段による画質補正が行われる前の入力画像データに対して局所エリア判定を行って画像特性を判定する第２の判定手段と、前記第１の画質補正手段によって補正された画像データに対し、前記第２の判定手段により判定された画像特性に基づいて画質補正を行う第２の画質補正手段とを有することを特徴とする。
請求項２に記載の画像処理装置においては、前記第１の判定手段は、イメージ領域と文字領域を分離判定し、前記第２の判定手段は、エッジ判定を行うことを特徴とする。  
請求項３に記載の画像処理装置においては、前記第１の画質補正手段は、前記入力画像データに対してデジタルフィルタ処理を行うことを特徴とする。
請求項４に記載の画像処理装置においては、前記第２の画質補正手段は、前記第１の画質補正手段による画質補正が行われた画像データに対して、リニアハイガンマ処理、トーンコントロール処理、スクリーン選択処理、デジタルフィルタ処理のうち少なくともひとつの処理を行うことを特徴とする。
請求項５に記載の画像処理装置においては、前記第２の判定手段は、エッジ判定を行う手段であり、前記第２の画質補正手段は、前記第２の判定手段がエッジ判定を行うことによってエッジを検出したときはハイガンマ処理を行う一方で、前記第２の判定手段がエッジ判定を行うことによってエッジを検出しなかったときはリニア処理を行うことを特徴とする。
請求項６に記載の画像処理方法においては、入力画像データに対して当該入力画像データの広範囲判定により像域分離を行う第１の判定工程と、前記第１の判定工程にて判定された像域分離結果に基づいて前記入力画像データに対して画質補正を行う第１の画質補正工程と、前記第１の画質補正工程による画質補正が行われる前の入力画像データに対して局所エリア判定を行って画像特性を判定する第２の判定工程と、前記第１の画質補正工程によって補正された画像データに対し、前記第２の判定工程において判定された画像特性に基づいて画質補正を行う第２の画質補正工程とを有することを特徴とする。  
請求項７に記載の画像処理方法においては、前記第１の判定工程は、イメージ領域と文字領域を分離判定する工程であり、前記第２の判定工程は、エッジ判定を行う工程であることを特徴とする。  
請求項８に記載の画像処理方法においては、前記第１の画質補正工程は、前記入力画像データに対してデジタルフィルタ処理を行う工程であることを特徴とする。
請求項９に記載の画像処理装置においては、前記第２の画質補正工程は、前記第１の画質補正工程における画質補正が行われた画像データに対して、リニアハイガンマ処理、トーンコントロール処理、スクリーン選択処理、デジタルフィルタ処理のうち少なくともひとつの処理を行う工程であることを特徴とする。
請求項１０に記載の画像処理方法においては、前記第２の判定工程は、エッジ判定を行う工程であり、前記第２の画質補正工程は、前記第２の判定工程のエッジ判定を行うことによってエッジが検出されたときはハイガンマ処理を行う一方で、前記第２の判定工程のエッジ判定を行うことによってエッジが検出されなかったときはリニア処理を行う工程であることを特徴とする。
【０００６】
【発明の実施の形態】
次に図面を参照して本発明の好適な実施形態を説明する。
実施形態１
以下、図面を参照しながら本発明の実施形態について説明する。図１、図２は、この実施形態の構成を示すブロック図である。図１において１−１は、３ライン分（Ｒｅｄ、Ｇｒｅｅｎ、Ｂｌｕｅの各色分）のＣＣＤセンサーである。ＣＣＤセンサー１−１は、原稿台上の原稿の画像を順次ライン毎に読み取る。ＣＣＤセンサー１−１から出力される画像信号は、ＡＤ変換器１−２によってデジタル信号に変換される。そして、デジタル信号に変換された画像信号は、シェーディング補正部１−３に入力されてシェーディング補正され、次にＣＣＤセンサー１−１の各読み取り画素（Ｒｅｄ，Ｇｒｅｅｎ，Ｂｌｕｅ）間のギャップ補正を施すためにギャップ補正部１−４に入力される。ギャップ補正された画像信号は、グレーバランス補正部１−５に入力されてグレーバランスの補正が行われ、次に、１−６の色空間変換部にてＲｅｄ，Ｇｒｅｅｎ，ＢｌｕｅからＬ*，ａ*，ｂ*色空間へと変換される。
【０００７】
色空間の変換が行われた画像信号は、外部Ｉ／Ｆ部１−７を介して外部機器へ出力されとともに、Ｔ／Ｉ分離判定部１−８とＹＭＣＫ変換部１−１０に供給される。Ｔ／Ｉ分離判定部１−８は、周知の方法により入力画像の広範囲判定を行い文字領域（Ｔ）とイメージ領域（Ｉ）とを分離し、ＹＭＣＫ変換部１−１０は、Ｌ*，ａ*，ｂ*空間の画像信号をＹ，Ｍ，Ｃ，Ｋ（イエロー、マゼンタ、シアン、黒）の各値に変換する。ＹＭＣＫに変換された画像信号は、縮小／拡大部１−１１ｂにより縮小／拡大処理され、さらに、デジタルフィルタ部１−１２によりイメージ領域の場合は境界線のスムージングが行われ、文字領域の場合にはエッジ部強調等の処理が行われる。次に、リニアハイガンマ処理部１−１３によりイメージ領域についてはリニア（Ｌｉｎｅａｒ）処理がなされてスムーズな画像とし、文字領域についてはハイガンマ（Ｈｉ−γ）処理がなされて文字の輪郭部分をくっきりさせる。そして、トーンコントロール部１−１４部により、トーンコントロール処理がされた画像信号は、ラスタアウトプットスキャナ（ＲＯＳ−Ｉ／Ｆ）１−１５へと入力される。ラスタアウトプットスキャナ１−１５では、画像信号の各色（Ｙ，Ｍ，Ｃ，Ｋ）のデータをもとにレーザー光線等の方法と、静電複写の方法により各色（Ｙ，Ｍ，Ｃ，Ｋ）毎に現像を行い、フルカラーのコピーを得るようになっている。
【０００８】
一方、Ｔ／Ｉ分離判定部１−８の判定結果は、縮小／拡大部１−１１ａによって縮小または拡大処理され、デジタルフィルタ１−１２に制御信号として入力される。縮小／拡大部１−１１ａは、画像信号が縮小／拡大部１−１１ｂによって拡大もしくは縮小されたときに、領域判定結果であるＴ／Ｉ分離判定部１−８の判定結果もこれに対応させる必要があるため、両者の対応関係がずれないような縮小／拡大処理を行う。
【０００９】
５は、画像信号のエッジ部分をパターン比較等の手法により判定するエッジ判定部であり、その判定結果は、リニアハイガンマ処理部１−１３、トーンコントロール部１−１４部およびラスタアウトプットスキャナ（ＲＯＳ−Ｉ／Ｆ）１−１５に、制御信号として供給されるようになっている。
【００１０】
また、ＩＰＳ−ＣＰＵ部１−９は、上述した各部を制御するもので、ＢＵＳを介して各処理ごとの処理内容、状態等の受渡しを行うようになっている。さらに、ＩＰＳ−ＣＰＵ部１−９は、図２に示すように、Ｓｙｓｔｅｍ−ＣＰＵ部１−１６と通信ラインにより結ばれており、コントロール状態等の受渡しを行うようになっている。この場合、Ｓｙｓｔｅｍ−ＣＰＵ部１−１６はＩＯＴ（Ｉｍａｇｅ  Ｏｕｐｕｔ  Ｔｅｒｍｉｎａｌ）コントロール部１−１７の制御、およびＵＩ（Ｕｓｅｒ  Ｉｎｔｅｒｆａｃｅ）コンソールパネル部１−１８のコントロールを行っている。
【００１１】
（第１実施形態の動作）
次に、第１実施形態の動作例について説明する。はじめに、図３に示す原稿を読み取った場合の原稿２−１の絵柄／文字混合原稿中の文字部２−２についての処理について説明する。
今、図３に示す原稿２−１中の文字部２−２を拡大した部分が図４の部分４−４のようになっていたとする。ここで、この部分４−４中で、４−６の「調」という文字部分の処理に着目する。
【００１２】
まず、デジタルフィルタ部１−１２に入力される画像信号の波形が、図５（イ）のようになっていた場合、Ｔ／Ｉ分離判定部１−８が文字領域と判定すると、この判定結果が縮小／拡大部１−１１ａを介して、デジタルフィルタ１−１２にコントロール信号として入力される。このため、デジタルフィルタ１−１２は文字領域に適した処理を行い、図５（ハ）のような波形となる。
【００１３】
また、エッジ判定部５が局所エリア判定を行ってエッジの有無を判定する。文字領域の場合には、エッジが検出されるから、エッジ有りを示す判定信号がリニアハイガンマ変換部１−１３、トーンコントロール部１−１４およびラスタアウトプットスキャナ１−１５にコントロール信号として供給される。そして、図５（ハ）に示す波形がリニアハイガンマ処理部１−１３に入力され、文字領域としてＨｉ−γ処理される。次にトーンコントロール部１−１４に入力された画像信号は、文字用のＬＵＴ（Ｌｏｏｋ  Ｕｐ  Ｔａｂｌｅ，参照テーブル）を用いて処理され、ラスタアウトプットスキャナ１−１５へと出力される。そして、ラスタアウトプットスキャナ１−１５では、文字用Ｓｃｒｅｅｎ（例えば４００線万線）を用いた処理が行われ、結果としては図４に示すように、原稿の部分４−６に対応したコピー出力部分４−９は最適な文字が再現される。
【００１４】
次に、原稿２−１中の一部２−２を拡大した部分、すなわち、図４の原稿部分４−４中の部分４−５の文字「量」に着目する。このような文字は、比較的Ｔ／Ｉ分離判定ミスが発生しやすい文字である。今、デジタルフィルタ部１−１２に入力される画像信号の波形が図５の（イ）の場合に、Ｔ／Ｉ分離ミスにより文字部がイメージ（絵柄）と判定された場合を想定する。
【００１５】
ここで、エッジ判定部５の動作が加わらない場合（従来装置と同様の場合）について説明すると、Ｔ／Ｉ分離判定部の判定結果を受けて、ＩＰＳ−ＣＰＵ部１−９が各部にイメージ領域に対応した処理を指令する。この結果、イメージ領域は階調の滑らかさを出すためスムージング処理されるので、図５の（ロ）に示すような波形となる。この波形がリニアハイガンマ変換部１−１３に入力され、イメージ領域用の処理としてリニア変換される。そして、トーンコントロール部１−１４に入力され、イメージ領域用のＬＵＴ（Ｌｏｏｋ  Ｕｐ  Ｔａｂｌｅ，参照テーブル）によって処理された後、ラスタアウトプットスキャナ１−１５へと出力される。ラスタアウトプットスキャナでは、Ｔ／Ｉ分離判定部１−８の判定に応じてイメージ領域用Ｓｃｒｅｅｎ（例えば２００線万線）が選択されるため、結果としては、原稿の部分４−５に対応したコピー出力４−７上の部分４−８の文字「量」は最適な文字再現が出来なくなる。
【００１６】
一方、本実施形態においては、図１のように前段のデジタルフィルタ部１−１２に対してはＴ／Ｉ分離判定部１−８の判定信号を用い、リニアハイガンマ変換部１−１３、トーンコントロール部１−１４、ラスタアウトプットスキャナ１−１５に対してはエッジ検出判定部５の判定結果を用いて制御するようにしている。
ここで、図３に示す原稿２−１を読み込んだ場合で説明すると、その一部の文字「量」（図６の部分６−５参照）は、前述のように比較的Ｔ／Ｉ分離判定ミスが発生しやすいから、デジタルフィルタ部１−１２に入力される画像信号の波形が図７の（イ）のようになった場合、Ｔ／Ｉ分離ミスにより文字部がイメージ領域と判定されてスムージング処理されると図７の（ロ）のような波形となる。
【００１７】
この場合、エッジ判定部５は、デジタルフィルタ１−１２の入力側において文字のエッジ部を局所エリア判定している。すなわち、スムージング処理される前の図７（イ）の波形に基づいて文字のエッジ部を判定しており、確実なエッジ検出が行える。そして、エッジ判定部５においてエッジが検出されると、リニアハイガンマ変換部１−１３はエッジ判定信号を受け、画像信号に対しＨｉ−γ変換処理を行い、文字の輪郭を際だたせる。次に、画像信号はトーンコントロール部１−１４へと入力され、文字用のＬＵＴで変換処理され、その後にラスタアウトプットスキャナ１−１５に送られる。ラスタアウトプットスキャナは、エッジ判定信号を受けて文字用Ｓｃｒｅｅｎ（例えば４００線万線）を選択して処理を行う。以上の処理の結果、図６のコピー出力の部分６−７に示すように、最適な文字再現が実現できる。
【００１８】
また、上記動作において、イメージ領域が検出された場合においては、一般にエッジは検出されないからエッジ判定部５からはエッジなしの判定信号が出力され、これにより、リニアハイガンマ変換部１−１３、トーンコントロール１−１４およびラスタアウトプットスキャナ１−１５は、各々イメージ領域に対応した処理を行う。
【００１９】
なお、リニアハイガンマ変換部１−１３の後段にデジタルフィルタを追加してもよい。上述の動作例においては、この後段のデジタルフィルタにおいても、エッジ判定部５のエッジ判定信号に基づき文字用のフィルタ処理を行うようにする。この場合の出力波形は図７（ハ）に示すようになり、文字の輪郭がくっきりする。
【００２０】
以上のように、本実施形態によれば、Ｔ／Ｉ判定に誤りがあっても文字の輪郭をくっきりと表現することができ、また、エッジ検出機能のみの場合と比較しても絵柄部に対する再現性も向上し、結果として全体の再現性の向上が実現できる。
【００２１】
第２実施形態
以下、図面を参照しながら第２実施形態の特徴を具体的に説明する。図は、実施形態２の要部の構成を示すブロック図である。なお、他の構成部分は、前述した実施形態１と同様であり、また、図に示す構成のうち図１の各部と対応する部分には同一の符号を付けてその説明を省略する。
【００２２】
図８に示すＴ／Ｉ分離結果記憶部１２−６は、メモリと圧縮処理回路から構成されており、Ｔ／Ｉ分離判定部１−８の判定結果を非可逆圧縮して一時記憶する。
Ｔ／Ｉ分離結果記憶部１２−６に記憶されたＴ／Ｉ判定結果は、所定のタイミングで読み出され演算部１２−１０に演算信号として供給されるとともに、デジタルフィルタ１−１２ｂに制御信号として供給される。
また、画像信号メモリ１２−７は、リニアハイガンマ変換部１−１３の処理を終えた画像像信号を記憶し、その記憶内容は、エッジ判定部５、論理演算部１２−１０およびデジタルフィルタ１−１２ｂに供給される。デジタルフィルタ１−１２ｂは、画像信号メモリ１２−７から読み出された画像信号に対して、イメージ領域については、境界線のスムージングを行い、文字領域についてはエッジ部強調等の処理を行う。
【００２３】
次に、論理演算部１２−１０は、図９に示す構成になっており、画像信号、エッジ判定信号およびテキスト／イメージ判定結果に基づいて論理演算を行う。図９に示すＣＯＭＰは、画像信号と所定のスレッショルドＴＨとを比較し、その比較結果を論理回路Ｌに供給する。論理演算回路Ｌは、所定の論理演算を行うよう各種論理ゲートを組み合わせて構成されている。この場合、論理演算回路Ｌの論理演算は、その出力信号が画像の状態（文字、イメージ、色文字等の状態）に応じたものとなるように設定されており、Ｔ／Ｉ判定結果だけでは不適切になりがちな画像状態判定を補うものとなっている。論理演算回路Ｌの出力信号、すなわち、論理演算部１２−１０の出力信号はこの実施形態においては、トーンコントロール回路１−１４に４ビットの制御信号として、また、ラスタアウトプットスキャナ１−１５には１ビットまたは２ビットの制御信号として供給されるようになっている。すなわち、トーンコントロール回路１−１４には１６種の画像状態に応じた処理を行わせ、また、ラスタアウトプットスキャナ１−１５には２または４種の画像状態に応じた処理を行わせるようになっている。
【００２４】
次に、上記構成による第２実施形態の動作について説明する。
一例として、図１０に示す原稿を読み取った場合について説明する。原稿８−１において、淡い下地に文字が書かれている部分８−２に着目する。この部分の文字に対するＴ／Ｉ判定結果が、図１１の（イ）に示すとおりであったとすると、この判定結果を記憶するＴ／Ｉ分離結果記憶部１２−６では、記憶量低減のために圧縮処理を行い、その結果、例えば、同図（ロ）に示す記憶内容となる。これは、この実施形態において、１／４の単純圧縮／伸長を行っており、図１２に示すように４×４のマトリスク上に１つでもテキスト判定（文字領域）があれば、そのマトリクス全体について文字領域とする方式を採用しているためである。
【００２５】
一方、画像信号は前段のデジタルフィルタ部１−１２でＴ／Ｉ分離判定部１−８の判定結果（例えば、図１１（イ）参照）に基づいてテキストもしくは、イメージ用のフィルタ処理を行い、リニアハイガンマ変換部１−１３においても、
Ｔ／Ｉ分離判定部１−８の判定結果に従ってイメージに対してはリニア変換、テキストに対してはハイガンマ変換を行う。そして、これらの処理を受けた画像信号は、画像信号メモリ１２−７に記憶される。
【００２６】
ここで、エッジ判定部５および論理演算部１２−１０を具備しない場合（従来装置の場合）の処理について考察する。
まず、読み出し要求があると画像信号メモリ１２−７およびＴ／Ｉ分離結果記憶部１２−６から読み出しが開始される。画像信号は後段のデジタルフィルタ１−１２ｂに入力され、Ｔ／Ｉ分離結果記憶部１２−６の内容によってフィルタ処理される。また、画像信号はトーンコントロール部１−１４およびラスタアウトプットスキャナ１−１５においてＴ／Ｉ分離結果記憶部１２−６の内容によって処理されることになる。
【００２７】
その結果、図１１（ハ）の部分１０−８においては、イメージ領域であるにもかかわらずＴ／Ｉ信号の圧縮／伸長の結果の影響を受けてテキスト領域の処理が施される。そのため、デジタルフィルタ処理、Ｌｉｎｅａｒ／Ｈｉ−γ処理、トーンコントロール処理において文字用の処理を行ってしまい、高画質が得られない。
【００２８】
この点をより詳細に説明すると以下の通りである。例えば、トーンコントロール部１−１４においては、文字用のルックアップテーブルが用いられるが、これは図１３に示すように、イメージ用のルックアップテーブルに比べて階調性が落ちる。そして、図１３から判るよに、イメージ部の濃度が低い領域においては、実際の濃度よりも低い値となってしまう。このように、実際よりも低い濃度となった画像信号がラスタアウトプットスキャナ１−１５に供給され、文字用のＳｃｒｅｅｎ（例えば４００線万線）で再現される。このため、ラスタアウトプットスキャナでの露光時間が短くなり、白抜けあるいは濃度の低下が発生する。ここで、図１４（イ）は文字用の４００線万線Ｓｃｒｅｅｎを用いた場合の露光時間、同図（ロ）はイメージ用の２００線万線Ｓｃｒｅｅｎを用いた場合の露光時間を各々示しているが、この図から判るように、２００線万線の時に比べ４００線万線時の時はＲＯＳビームでの露光時間が大幅に短い。
【００２９】
一方、本実施形態においては、図８に示すように前段のデジタルフィルタ１−１２ａ、リニアガンマ変換部１−１３、後段のデジタルフィルタ１−１２ｂに対してはＴ／Ｉ分離判定結果を用い、トーンコントロール部１−１４、ラスタアウトプットスキャナ１−１５に対してはエッジ判定結果に基づく論理演算部１２−１０の演算結果を用いるようにしている。したがって、論理演算部１２−１０が出力する信号（エッジ検出に基づいた信号）によって、トーンコントロール部１−１４およびラスタアウトプットスキャナ１−１５が制御されるので、画像の状態に適した処理内容となる。
【００３０】
なお、論理演算部１２−１０について、エッジ判定結果をスルーデータとして出力するように構成するか、あるいは、論理演算部１２−１０を省略してエッジ判定部５の出力信号を用いるように構成しても所定の効果を奏することができる。そこで、以下においては、説明簡略化のためにエッジ判定結果だけを用いてトーンコントロール部１−１４およびラスタアウトプットスキャナ１−１５を制御する場合について説明する。
【００３１】
さて、図１０の原稿の部分８−１内は、淡い色背景中に文字が書かれているので、ここでのＴ／Ｉ分離判定結果は前述のように、図１０（イ）に示すようになり、Ｔ／Ｉ分離結果記憶部１２−６に圧縮記憶される判定結果は同図（ロ）に示すようになる。一方、画像信号は、画像信号メモリ１２−７を介して後段のデジタルフィルタ１−１２ｂに入力され、Ｔ／Ｉ分離結果記憶部１２−６の内容に応じてフィルタ処理される。次に、画像信号はトーンコントロール部１−１４においてＴ／Ｉ分離結果記憶部１２−６の内容ではなく、画像信号メモリ１２−７の内容に対するエッジ判定結果によって処理される。すなわち、エッジ判定部５によって、図１５（イ）のようなエッジが検出され、その検出結果によってトーンコントロール部１−１４のルックアップテーブルが選択される。したがって、画像の状態に対応した適切な処理がなされる。そして、ラスタアウトプットスキャナ１−１５においてもエッジ検出結果に基づきＳｃｒｅｅｎが選択されるから、結果として図１５（ロ）に示すように、淡い色背景の中の文字周りの白抜け（もしくは濃度低下）を防止できる。
【００３２】
以上の動作は、論理演算部１２−１０の論理演算結果に代えてエッジ判定部５の判定結果を用いた場合であるが、論理演算部１２−１０においては、エッジ判定結果に加えてＴ／Ｉ判定結果および画像信号に基づいて論理演算を行うので、その演算の設定の仕方により、画像状態をさらに詳細に検出することができ、より緻密な制御を行うことができる。
【００３３】
上述のように本実施形態においては、Ｔ／Ｉ分離信号の圧縮記憶する場合においても、画像信号を一時記憶するメモリの後に配置したエッジ判定部によって、後段のトーンコントロール部のルックアップテーブル選択やラスタアウトプットスキャナのＳｃｒｅｅｎ選択を行うことにより、例えば、淡い色背景中の文字周りの白抜け（もしくは濃度低下）を防止できる。
さらに、Ｔ／Ｉ分離結果とエッジ判定結果を少なくとも用いて論理演算を行い、その結果を用いて画質補正を行うことにより、画像の状態により対応した画像生成を行うことができる。
【００３４】
【発明の効果】
以上に述べたように、本発明によれば、入力画像データに対して当該入力画像データの広範囲判定により像域分離を行う第１の判定手段と、前記第１の判定手段により判定された像域分離結果に基づいて前記入力画像データに対して画質補正を行う第１の画質補正手段と、前記入力画像データに対して局所エリア判定を行って画像特性を判定する第２の判定手段と、前記第１の画質補正手段によって補正された画像データに対し、前記第２の判定手段により判定された画像特性に基づいて画質補正を行う第２の画質補正手段とを設けたので、第１の判定手段によって像域分離に誤りが生じても、第２の判定手段と第２の画質補正手段によって適切な修正が行われ、高画質が達成される。
【００３５】
また、少なくとも前記第１、第２の判定手段の判定結果を用いて論理演算を行う論理演算手段を設け、前記第１の画質補正手段によって補正された画像データに対し、前記論理演算手段の演算結果に基づいて画質補正を行うようにすることで、画像の状況に応じた細かな制御を行うことができる。
【図面の簡単な説明】
【図１】  本願の第１実施形態である画像処理装置の要部構成を示すブロック図である。
【図２】  本願の第１実施形態である画像処理装置の他の部分の構成を示すブロック図である。
【図３】  入力画像の一例を示す平面図である。
【図４】  入力画像の一部を拡大した平面図である。
【図５】  画像信号の一例を示す波形図である。
【図６】  入力画像の一部を拡大した平面図である。
【図７】  画像信号の一例を示す波形図である。
【図８】  本願の第２実施形態である画像処理装置の要部構成を示すブロック図である。
【図９】  第２実施形態の論理演算部１２−１０の構成を示すブロック図である。
【図１０】  入力画像の一例を示す平面図である。
【図１１】  テキスト／イメージ分離判定結果の一例を示す説明図である。
【図１２】  テキスト／イメージ分離判定結果を圧縮記憶する際の圧縮処理を説明するための説明図である。
【図１３】  ルックアップテーブルの特性を示す特性図である。
【図１４】  ラスタアウトプットスキャナにおける露光時間を説明するための説明図である。
【図１５】  第２実施形態におけるエッジ判定結果と最終出力画像を説明するための説明図である。
【符号の説明】
１−８  Ｔ／Ｉ分離判定部（第１の判定手段）
１−１２  デジタルフィルタ（第１の画質補正手段）
１−１３  リニアハイガンマ変換部（第１、第２の画質補正手段）
１−１４  トーンコントロール（第２の画質補正手段）
１−１５  ラスタアウトプットスキャナ（第２の画質補正手段）
５  エッジ判定部（第２の判定手段）
１２−１０  論理演算部（論理演算手段）
【図１】
0003709636.tif 000002
【図２】
0003709636.tif 000003
【図３】
0003709636.tif 000004
【図４】
0003709636.tif 000005
【図５】
0003709636.tif 000006
【図６】
0003709636.tif 000007
【図７】
0003709636.tif 000008
【図８】
0003709636.tif 000009
【図９】
0003709636.tif 000010
【図１０】
0003709636.tif 000011
【図１１】
0003709636.tif 000012
【図１２】
0003709636.tif 000013
【図１３】
0003709636.tif 000014
【図１４】
0003709636.tif 000015
【図１５】
0003709636.tif 000016